(57)【要約】【課題】部屋内に温度ムラが生じるのを抑制する。【解決手段】床置型空気調和機１は、熱交換器２０を収容し且つ右側吹出口１０ａ及び左側吹出口１０ｂが形成されたケーシング１０と、当該ケーシング１０内に設けられ、熱交換器２０を通過した空気を右側吹出口１０ａ及び左側吹出口１０ｂへ送るファン３０とを備えている。また、床置型空気調和機１は、ケーシング１０内の吹出口１０ａ及び１０ｂとファン３０との間には、右側吹出口１０ａから吹き出される風量と左側吹出口１０ｂから吹き出される風量との比率を変更する風量比率変更部材４０が移動可能に設けられている。【選択図】図５
2008151477.tif 000002
【特許請求の範囲】
【請求項１】
熱交換器（２０）を収容し且つ第１吹出口（１０ａ）及び第２吹出口（１０ｂ）が形成されたケーシング（１０）と、
前記ケーシング内に設けられ、前記熱交換器を通過した空気を前記第１吹出口及び第２吹出口へ送る送風機（３０）と、
前記ケーシング内の前記第１吹出口及び前記第２吹出口と前記送風機との間において移動可能に設けられ、前記第１吹出口から吹き出される風量と前記第２吹出口から吹き出される風量との比率を変更する風量比率変更部材（４０）とを備えていることを特徴とする床置型空気調和機（１、１００）。
【請求項２】
前記第１吹出口と前記第２吹出口とは水平方向に離隔して配置されており、
前記風量比率変更部材は、前記第１吹出口及び前記第２吹出口の一方に近接し且つ他方から離れるように水平方向に移動可能であることを特徴とする請求項１に記載の床置型空気調和機（１、１００）。
【請求項３】
前記風量比率変更部材を移動させる駆動手段（１６１、１６２ａ、１６２ｂ、１６３）を備えていることを特徴とする請求項１または２に記載の床置型空気調和機（１００）。
【請求項４】
前記送風機は、前記熱交換器に対して前記第１及び第２吹出口と反対側に配置され、
前記風量比率変更部材は、前記熱交換器と前記第１吹出口及び第２吹出口との間に配置されていることを特徴とする請求項１〜３のいずれか１項に記載の床置型空気調和機（１、１００）。
【発明の詳細な説明】
【技術分野】
【０００１】
本発明は、床置型空気調和機に関し、特に、ケーシングに設けられた第１吹出口及び第２吹出口から熱交換器を通過した空気を吹き出す床置型空気調和機に関する。
【背景技術】
【０００２】
調和された空気を室内へと吹き出して室内の空気調和を行う空気調和機の１つに、床置型空気調和機がある。この床置型空気調和機は、室内の床に設置されるタイプの空気調和機であり、主として、ケーシング、熱交換器、ファンにより構成されている（例えば、特許文献１及び特許文献２参照）。このような床置型空気調和機では、ファンにより熱交換器を通過した空気をケーシングの吹出口から室内へ吹き出すことにより、室内の空気調和を行う。
【０００３】
上記特許文献１には、吹出切替パネルを切り替えることにより、熱交換器を通過した空気を空気調和機の正面から吹き出す場合と、空気調和機の両サイドから吹き出す場合とに切り替え可能な空気調和機が開示されている。
【０００４】
また、上記特許文献２には、暖房時に左右の吹出口上部からの吹き出しを制限することにより、吹出口下部から空気を吹き出し、冷房時に吹出口下部からの吹き出しを制限することにより、吹出口上部から空気を吹き出す空気調和機が開示されている。これにより、部屋内で上昇する暖かい空気を空気調和機の下方から吹き出し、又は、部屋内で下降する冷たい空気を空気調和機の上方から吹き出して、部屋の温度分布を均一に保っている。
【０００５】
【特許文献１】特開２００５−６９６５２号公報
【特許文献２】特開２００３−３４３８７４号公報
【発明の開示】
【発明が解決しようとする課題】
【０００６】
しかしながら、特許文献１及び特許文献２に開示された空気調和機では、左右の（両サイドの）吹出口から吹き出される風量は一定なので、部屋の形状によって部屋内に温度ムラが生じるという問題があった。
【０００７】
そこで、部屋内の温度ムラを解消するために、左右の吹出口ごとにファンがそれぞれ設けられた空気調和機が開発されている。この空気調和機では、各ファンの駆動を制御して、部屋の形状に応じて吹出口から送風される風量を調節して、部屋の温度ムラが発生するのを抑制できる。しかしながら、この場合には、ファン及びそのファンを駆動するファンモータなどを新たに追加しなければならず、コストアップとなっていた。
【０００８】
そこで、この発明は、上記のような課題を解決するためになされたものであり、部屋内に温度ムラが生じるのを抑制することが可能な床置型空気調和機を提供することを目的とする。
【課題を解決するための手段】
【０００９】
第１の発明にかかる床置型空気調和機は、熱交換器を収容し且つ第１吹出口及び第２吹出口が形成されたケーシングと、ケーシング内に設けられ、熱交換器を通過した空気を第１吹出口及び第２吹出口へ送る送風機と、ケーシング内の第１吹出口及び第２吹出口と送風機との間において移動可能に設けられ、第１吹出口から吹き出される風量と第２吹出口から吹き出される風量との比率を変更する風量比率変更部材とを備えている。
【００１０】
この床置型空気調和機では、風量比率変更部材を移動させることにより、第１吹出口から吹き出される風量と第２吹出口から吹き出される風量との比率を容易に変更することができる。これにより、部屋の形状に応じて第１吹出口及び第２吹出口からそれぞれ吹き出される風量を調節して、部屋内に温度ムラが生じるのを抑制することができる。例えば、部屋の奥行きがある方向に向かって風を吹き出す吹出口からの風量を、部屋の奥行きがない方向に向かって風を吹き出す吹出口からの風量より多くすることにより、部屋内に温度ムラが生じるのを抑制することができる。また、１つのファンから送風される空気を分離することができるので、ファンなどの送風機を複数設ける場合に比べて、コストアップするのを抑制することができる。
【００１１】
第２の発明にかかる床置型空気調和機は、第１の発明にかかる床置型空気調和機において、第１吹出口と第２吹出口とは水平方向に離隔して配置されており、風量比率変更部材は、第１吹出口及び第２吹出口の一方に近接し且つ他方から離れるように水平方向に移動可能である。
【００１２】
この床置型空気調和機では、風量比率変更部材を移動させることにより、その風量比率変更部材は、第１吹出口及び第２吹出口の一方に近接し且つ他方から離間する。これにより、第１吹出口及び第２吹出口から第１吹出口と風量比率変更部材との間の距離又は第２吹出口と風量比率変更部材との間の距離にそれぞれ応じた風量の空気を送り出すことができる。すなわち、風量比率変更部材を移動させるだけで、容易に吹出口から吹き出される風量を変更することができ、容易に部屋内に温度ムラが生じるのを抑制することができる。
【００１３】
第３の発明にかかる床置型空気調和機は、第１又は第２の発明にかかる床置型空気調和機において、風量比率変更部材を移動させる駆動手段を備えている。
【００１４】
この床置型空気調和機では、駆動手段により自動で（手動ではなく）風量比率変更部材を移動させることができる。
【００１５】
第４の発明にかかる床置型空気調和機は、第１〜第３の発明のいずれかにかかる床置型空気調和機において、送風機は、熱交換器に対して第１及び第２吹出口と反対側に配置され、風量比率変更部材は、熱交換器と第１吹出口及び第２吹出口との間に配置されている。
【００１６】
この床置型空気調和機では、熱交換器を通過した空気を吹出口（第１吹出口及び第２吹出口）に至る前段で、第１吹出口側と第２吹出口側とに分離することができる。つまり、吹出口に至る直前の位置で空気を分離することができるので、吹出口から吹き出される風量の比率を正確に変更することができる。
【発明の効果】
【００１７】
以上の説明に述べたように、本発明によれば、以下の効果が得られる。
【００１８】
第１及び第２の発明では、第１吹出口及び第２吹出口から吹き出される風量を調節して、部屋内に温度ムラが生じるのを抑制することができる。また、ファンなどの送風機を複数設ける必要がないので、床置型空気調和機がコストアップするのを抑制することができる。
【００１９】
第３の発明では、駆動手段により自動で風量比率変更部材を移動させることができる。
【００２０】
第４の発明では、吹出口に至る直前の位置で空気を分離することができるので、吹出口から吹き出される風量の比率を正確に変更することができる。
【発明を実施するための最良の形態】
【００２１】
以下、図面に基づいて、本発明にかかる床置型空気調和機の実施形態について説明する。
【００２２】
図１は、本発明の一実施形態による床置型空気調和機の外観を示した正面図であり、図２は、図１に示した床置型空気調和機の構成を示した図である。図３は、図１のＢ１−Ｂ１線に沿った断面図であり、図４は、図１のＢ２−Ｂ２線に沿った断面図である。図５及び図６は、図１に示した床置型空気調和機から吹き出される空気の流れを示した図である。図７は、図１に示した床置型空気調和機を部屋に設置した状態を示した平面図である。以下、図１〜図７を参照して、本発明の一実施形態による床置型空気調和機について説明する。
【００２３】
本実施形態による床置型空気調和機１は、図１に示すように、室内の床に設置された状態で使用される空気調和機であって、室外に配置される室外機（図示せず）と接続されている。そして、床置型空気調和機は、室外機に収容される圧縮機や室外熱交換器などと冷媒回路を構成して、室内の空気の調和を行う。
【００２４】
床置型空気調和機１は、ケーシング１０と、熱交換器２０と、ファン３０と、風量比率変更部材４０とから主として構成されている。
【００２５】
ケーシング１０は、熱交換器２０やファン３０などを収容するために設けられている。また、ケーシング１０の正面上部には、温度設定や風量設定など各種操作を行うための操作部５０が設けられている。そして、図１及び図２に示すように、ケーシング１０の正面右側には右側吹出口１０ａが設けられているとともに、ケーシング１０の正面左側には左側吹出口１０ｂが設けられている。この右側吹出口１０ａと左側吹出口１０ｂとは、水平方向に離間して配置されている。
【００２６】
また、ケーシング１０の内部には、図３に示すように、ファン３０から送風される空気を上方に配置される熱交換器に案内する仕切り板１１が設けられている。これにより、ファン３０から送風された空気が熱交換器を通過せずに吹出口１０ａ、１０ｂから吹き出されてしまうのを防止することができる。
【００２７】
熱交換器２０は、ケーシング１０内の上部の位置に収容されており、ファン３０により取り込まれて上方に吹き上げられた空気との間で熱交換を行う。この熱交換器２０は、上端がケーシング１０の背面に傾斜するように配置されており、ファン３０により上方に吹き上げられた空気がこの熱交換器２０を通過する。
【００２８】
ファン３０は、ケーシング１０内の下部の位置に収容されており、ケーシング１０からの空気を取り込み、熱交換器２０を通過して調和された空気をケーシング１０の吹出口１０ａ、１０ｂへ送る。このファン３０は、図２に示すように、ケーシング１０の正面と平行な面内で回転する吸い込み部３１から空気を吸い込み、吸い込み方向とは異なる上方に向けて空気を吹き出す。この際、ファン３０から送風される空気は、仕切り板１１により案内されて熱交換器２０に送られる。
【００２９】
風量比率変更部材４０は、ケーシング１０の右側吹出口１０ａから吹き出される風量と、左側吹出口１０ｂから吹き出される風量との比率を変更する機能を有している。この風量比率変更部材４０は、図３及び図４に示すように、ケーシング１０の内壁に取り付けられるスライドレール６１及び風量比率変更部材４０に取り付けられるスライダ６２からなるリニアガイド６０により、右側吹出口１０ａと左側吹出口１０ｂとの間において水平方向（例えば、図１・図４の矢印Ａ１方向及び矢印Ａ２方向）に移動可能に設けられている。つまり、リニアガイド６０により水平方向に移動可能に設けられる風量比率変更部材４０は、右側吹出口１０ａに近接した場合には左側吹出口１０ｂから離間し、左側吹出口１０ｂに近接した場合には右側吹出口１０ａから離間する。
【００３０】
また、風量比率変更部材４０には、熱交換器２０を通過した空気を右側吹出口１０ａに案内する曲面４０ａ及び左側吹出口１０ｂに案内する曲面４０ｂが形成されている。そして、その曲面４０ａと曲面４０ｂとが接続される頂点４０ｃが熱交換器２０側になるように配置されている。
【００３１】
また、風量比率変更部材４０の上面には、ケーシング１０の外部に突出するレバー７０が取り付けられている。このレバー７０を矢印Ａ１方向又は矢印Ａ２方向に移動させることにより、風量比率変更部材４０を矢印Ａ１方向又は矢印Ａ２方向に移動させることができる。
【００３２】
風量比率変更部材４０が矢印Ａ１方向に移動された場合には、図５に示すように、その風量比率変更部材４０は、右側吹出口１０ａに近接し且つ左側吹出口１０ｂから離間する。そして、ファン３０の吹出口３２から吹き出されて熱交換器２０を通過した空気は、右側吹出口１０ａ側に移動している風量比率変更部材４０の頂点４０ｃで分離されるので、右側吹出口１０ａに向かう小さな風量の空気の流れと、左側吹出口１０ｂに向かう大きな風量の空気の流れとが形成される。
【００３３】
これに対して、風量比率変更部材４０が矢印Ａ２方向に移動された場合には、図６に示すように、その風量比率変更部材４０は、左側吹出口１０ｂに近接し且つ右側吹出口１０ａから離間する。そして、ファン３０の吹出口３２から吹き出されて熱交換器２０を通過した空気は、左側吹出口１０ｂ側に移動している風量比率変更部材４０の頂点４０ｃで分離されるので、左側吹出口１０ｂに向かう小さな風量の空気の流れと、右側吹出口１０ａに向かう大きな風量の空気の流れとが形成される。
【００３４】
［本床置型空気調和機の特徴］
本実施形態の床置型空気調和機１には、以下のような特徴がある。
【００３５】
本実施形態の床置型空気調和機１では、風量比率変更部材４０を水平方向（矢印Ａ１方向及び矢印Ａ２方向）に移動させることにより、右側吹出口１０ａから吹き出される風量と左側吹出口１０ａから吹き出される風量との比率を容易に変更することができる。これにより、部屋の形状に応じて右側吹出口１０ａ及び左側吹出口１０ａからそれぞれ吹き出される風量を調節して、部屋内に温度ムラが生じるのを抑制することができる。例えば、図７に示すように、本床置型空気調和機１が奥行きが異なる部屋２に配置される場合には、部屋の奥行きがある方向（図７の矢印Ｃ１方向）に向かって風を吹き出す左側吹出口１０ｂからの風量を、部屋の奥行きがない方向（図７の矢印Ｃ２方向）に向かって風を吹き出す右側吹出口１０ｂからの風量より多くすることにより、部屋内に温度ムラが生じるのを抑制することができる。
【００３６】
また、１つのファン３０から送風される空気を分離することができるので、ファンなどの送風機を複数設ける場合に比べて、コストアップするのを抑制することができる。
【００３７】
また、本実施形態の床置型空気調和機１では、風量比率変更部材４０を移動させた場合に、吹出口１０ａ及び１０ｂの一方に近接し且つ他方から離間する。これにより、右側吹出口１０ａ及び左側吹出口１０ｂから、右側吹出口１０ａと風量比率変更部材４０の頂点４０ｃとの間の距離又は左側吹出口１０ｂと風量比率変更部材４０の頂点４０ｃとの間の距離にそれぞれ応じた風量の空気を送り出すことができる。すなわち、風量比率変更部材４０を移動させるだけで、容易に吹出口１０ａ及び１０ｂから吹き出される風量を変更することができる。その結果、容易に部屋内に温度ムラが生じるのを抑制することができる。
【００３８】
また、本実施形態の床置型空気調和機１では、熱交換器２０を通過した空気を右側吹出口１０ａ及び左側吹出口１０ａに至る前段で、右側吹出口１０ａ側と左側吹出口１０ａ側とに分離することができる。つまり、吹出口１０ａ及び１０ｂに至る直前の位置で空気を分離することができるので、吹出口１０ａ及び１０ｂから吹き出される風量の比率を正確に変更することができる。
【００３９】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００４０】
例えば、上記実施形態では、レバー７０を操作することによって、ケーシング１０内の風量比率変更部材４０を手動で移動させる例を示したが、本発明はこれに限らず、図８に示す変形例に係る床置型空気調和機１００のように、風量比率変更部材４０を自動で移動させるようにしてもよい。この床置型空気調和機１００では、ケーシング１０の内部に、駆動源となるモータ１６１と、当該モータ１６１のモータ軸に取り付けられるプーリ１６２ａと、当該プーリ１６２ａと所定の間隔を隔てて配置されるプーリ１６２ｂと、プーリ１６２ａ及び１６２ｂに装着される駆動ベルト１６３とからなる駆動手段が設けられている。そして、風量比率変更部材４０を駆動ベルト１６３に固定することにより、モータ１６１の駆動に伴って風量比率変更部材４０が矢印Ａ１方向及びＡ２方向に自動で移動する。
【００４１】
また、図８ではベルト駆動により風量比率変更部材４０を自動で移動させる例を示したが、本発明はこれに限らず、ギア駆動などで風量比率変更部材４０を移動させてもよい。
【００４２】
また、上記実施形態では、送風機の一例としてファンを用いる例を示したが、本発明はこれに限らず、ブロワなどを用いてもよい。
【産業上の利用可能性】
【００４３】
本発明を利用すれば、部屋内に温度ムラが生じるのを抑制することができる。
【図面の簡単な説明】
【００４４】
【図１】本発明の一実施形態による床置型空気調和機の外観を示した正面図である。
【図２】図１に示した床置型空気調和機の構成を示した図である。
【図３】図１のＢ１−Ｂ１線に沿った断面図である。
【図４】図１のＢ２−Ｂ２線に沿った断面図である。
【図５】図１に示した床置型空気調和機から吹き出される空気の流れを示した図である。
【図６】図１に示した床置型空気調和機から吹き出される空気の流れを示した図である。
【図７】図１に示した床置型空気調和機を部屋に設置した状態を示した図である。
【図８】本発明の一実施形態の変形例による床置型空気調和機を示した断面図である。
【符号の説明】
【００４５】
１、１００  床置型空気調和機
１０  ケーシング
１０ａ  右側吹出口（第１吹出口）
１０ｂ  左側吹出口（第２吹出口）
２０  熱交換器
３０  ファン（送風機）
４０  風量比率変更部材
１６１  モータ（駆動手段）
１６２ａ、１６２ｂ  プーリ（駆動手段）
１６３  駆動ベルト（駆動手段）
【図１】
2008151477.tif 000003
【図２】
2008151477.tif 000004
【図３】
2008151477.tif 000005
【図４】
2008151477.tif 000006
【図５】
2008151477.tif 000007
【図６】
2008151477.tif 000008
【図７】
2008151477.tif 000009
【図８】
2008151477.tif 000010